(57)【要約】【課題】  白血球を測定するための迅速、簡便かつ高精度に測定可能な白血球の分類計数方法を提供するものである。【解決手段】  白血球の分類計数方法は、（１）血液学的試料を、赤血球を溶解させるための溶血剤によって処理する工程、（２）処理された試料をフローサイトメータに導入して、少なくとも散乱光を測定する工程、（３）前方散乱光幅の差を利用して、血小板凝集と、白血球とを分類する工程からなる。【選択図】  図１
2006300962.tif 000002
【特許請求の範囲】
【請求項１】
（１）血液学的試料を、赤血球を溶解させるための溶血剤によって処理する工程、
（２）処理された試料をフローサイトメータに導入して、少なくとも散乱光を測定する工程、
（３）前方散乱光幅の差を利用して、血小板凝集と、白血球とを分類する工程
からなる白血球の分類計数方法。
【請求項２】
工程（３）において、前方散乱光幅の差と前方散乱光ピークの強度差を利用して、血小板凝集と、白血球とを分類する請求項１記載の白血球の分類計数方法
【請求項３】
さらに、（４）工程（３）で分類された白血球について側方散乱光の強度差を利用して、成熟白血球を少なくとも３つの亜集団に分類計数する工程、を備える請求項１または２記載の白血球の分類計数方法。
【請求項４】
工程（１）において、血液試料を色素で処理する工程を含み、工程（２）において、さらに染色度合を測定する工程を含み、工程（４）において、工程（３）で分類された白血球について側方散乱光の強度差と染色度合の差を利用して、成熟白血球を少なくとも３つの亜集団に分類計数する請求項３記載の白血球の分類計数方法。
【請求項５】
工程（１）において、血液試料を蛍光色素で処理する工程を含み、工程（２）において、さらに蛍光を測定する工程を含み、工程（４）において、工程（３）で分類された白血球について側方散乱光の強度差と蛍光の強度差を利用して、成熟白血球を少なくとも３つの亜集団に分類計数する請求項３記載の白血球の分類計数方法。
【請求項６】
工程（１）が、血液学的試料を溶血剤で処理した後、溶血剤で処理した試料を蛍光色素で処理する工程を含む請求項５記載の白血球の分類計数方法。
【請求項７】
血液学的試料を、赤血球を溶解させるための溶血剤によって処理する工程で調製された測定試料を通過させるオリフィス部と、オリフィス部に光を照射する光源と、オリフィス部から発せられた散乱光を受光する受光部とを備えたフローサイトメータと、
前方散乱光幅の差を利用して、血小板凝集と、白血球とを分類する工程により測定試料を解析する解析部と、を備えた白血球の分類計測装置。
【発明の詳細な説明】
【技術分野】
【０００１】
本発明は白血球の分類計数方法に関する。より詳細には、フローサイトメータを利用した血液学的試料の白血球の分類計数方法に関する。
【背景技術】
【０００２】
近年、フローサイトメータの原理を応用した種々の全自動血球分類計数装置が提供されている。しかしながら、これらの装置は、正常な白血球を高精度に分類計数することができるが、血小板凝集が生じた場合にはその影響を大きく受けてしまう。
【０００３】
一方、幼若白血球を生きた状態に保持し、その他の白血球に損傷を与える溶血剤で処理した後に、損傷を受けた細胞を染色できる蛍光色素で染色し、得られた血球の散乱光と蛍光を測定することにより、幼若白血球と正常白血球を同時に、分類計数できることが報告されている（特許文献１参照）。
【０００４】
【特許文献１】特開平１０−２０６４２３号
【発明の開示】
【発明が解決しようとする課題】
【０００５】
しかしながら、特許文献１では、白血球と血小板凝集を分別することについて、全く記載されていない。
本発明は前記事情を鑑み、白血球を測定するための迅速、簡便かつ高精度に測定可能な白血球の分類計数方法を提供するものである。
【課題を解決するための手段】
【０００６】
本発明は、
（１）血液学的試料を、赤血球を溶解させるための溶血剤によって処理する工程、
（２）処理された試料をフローサイトメータに導入して、少なくとも散乱光を測定する工程、
（３）前方散乱光幅の差を利用して、血小板凝集と、白血球とを分類する工程
からなる白血球の分類計数方法である。
【発明の効果】
【０００７】
本発明によれば、迅速、簡便かつ高精度に白血球を測定可能である。
【発明を実施するための最良の形態】
【０００８】
本実施形態でいう血液学的試料は、末梢血液、骨髄穿刺液、尿等で採取した試料など、白血球を含む体液試料をいう。
【０００９】
本実施形態でいう成熟白血球とは、成熟したリンパ球、単球、顆粒球のことをいう。
【００１０】
ＤＮＡ量異常白血球とは、通常のＤＮＡ量より多い、または少ないＤＮＡ量をもった白血球のことをいう。ただし、本実施形態においては、ＤＮＡ量異常白血球とは、通常のＤＮＡ量より多いＤＮＡ量をもった白血球のことを指す。
【００１１】
本実施形態でいう幼若白血球とは、通常骨髄に存在し、末梢血に出現しない未成熟な白血球をいう。例えば、骨髄芽球、前骨髄球、骨髄球、後骨髄球などをいう。前骨髄球、骨髄球、後骨髄球については、まとめて顆粒球系幼若球とすることもある。さらには、芽球以前の分化段階の細胞である、骨髄系幹細胞（ＣＦＵ−ＧＥＭＮ）、好中球・マクロファージコロニー形成細胞（ＣＦＵ−ＧＭ）、好酸球コロニー形成細胞（ＣＦＵ−ＥＯＳ）等の白血球系の造血前駆細胞も本実施形態の幼若白血球の範囲に含む。
【００１２】
本実施形態でいう血小板凝集とは、血小板が２個以上凝集したものをいう。
【００１３】
本実施形態でいう同時通過細胞とは、２個以上の細胞がほぼ同時にフローセルの検出域を通過し、１つの細胞として計数される状態をいう。
【００１４】
本実施形態でいう散乱光ピークとは、散乱光から得られる信号波形のピークであり、散乱光幅とは、散乱光から得られる信号波形の幅をいう。
【００１５】
本実施形態では、血液学的試料を溶血剤で処理し、赤血球を溶解させる。一方、この処理により、幼若球白血球は溶解も損傷もせず、成熟白血球及びＤＮＡ量異常白血球は損傷される。特定の組成の溶血剤を細胞に作用させた場合、作用機序は明確ではないが、特定の細胞の細胞膜脂質構成成分の一部を抽出（引き抜く）することにより、細胞膜に特定の物質が通過できるだけの細孔をあける。これを損傷と呼ぶ。この結果、特定の細胞内に色素分子が入り込み染色することができる。従って、損傷を与えられた成熟白血球およびＤＮＡ量異常白血球は、染色に好適な状態である。一方、損傷をうけない幼若白血球は、色素の透過を可能とするだけの細孔があけられないために、色素で染色されない。さらに成熟白血球及びＤＮＡ量異常白血球は、細胞に含まれるＤＮＡ量によって色素の結合量が異なっている。従って、そのような細胞を色素で染色すると、ＤＮＡ量に応じて染色される色素の量が異なり、染色された細胞の蛍光強度が異なる。例えば、ＤＮＡ量が成熟白血球の２倍量のＤＮＡ量異常白血球の場合、結合する色素の量は正常な成熟白血球の２倍となり、この細胞は成熟白血球より強い蛍光を発する。この結果、成熟白血球、ＤＮＡ量異常白血球および幼若白血球との間に蛍光強度の差異が生じうる。
【００１６】
本実施形態で用いる溶血剤は、界面活性剤、可溶化剤、アミノ酸および緩衝液とからなるのが好ましい。
【００１７】
界面活性剤としては種々のものを使用できるが、ポリオキシエチレン系ノニオン界面活性剤が好ましい。具体的には、以下の式（ＩＩ）：
【００１８】
【化１】
2006300962.tif 000003
（式中、Ｒ1IIはＣ9-25のアルキル基、アルケニル基又はアルキニル基；
2006300962.tif 000004
Ｒ2IIは、−Ｏ−、
または−ＣＯＯ−；ｎIIは１０〜４０である。）を有するものを用いることができる。
【００１９】
Ｃ9-25のアルキル基としては、ノニル、デシル、ウンデシル、ドデシル、トリデシル、テトラデシル等が挙げられる。Ｃ9-25のアルケニル基としては、ドデセニル、テトラデセニル等が挙げられる。Ｃ9-25のアルキニル基としては、ドデシニル、ウンデシニル、ドデシニル等が挙げられる。
【００２０】
さらに具体的には、ポリオキシエチレン（２０）ラウリルエーテル、ポリオキシエチレン（１５）オレイルエーテル、ポリオキシエチレン（１６）オレイルエーテルが好適である。
【００２１】
界面活性剤は水溶液の形態で用いることができる。例えばポリオキシエチレン系ノニオン性界面活性剤の水中濃度については、使用する界面活性剤の種類によって異なるが、前述のポリオキシエチレン（２０）ラウリルエーテルでは、０．１〜２．０ｇ／ｌ（好ましくは０．５〜１．５ｇ／ｌ）、ポリオキシエチレン（１５）オレイルエーテルでは、１〜９ｇ／ｌ（好ましくは３〜７ｇ／ｌ）、ポリオキシエチレン（１６）オレイルエーテルでは、５〜５０ｇ／ｌ（好ましくは１５〜３５ｇ／ｌ）の範囲で使用できる。ポリオキシエチレン系ノニオン性界面活性剤は、疎水性基の炭素数が同じであれば、ｎIIの数が小さくなるほど細胞を損傷する力が強く、ｎIIが大きくなるほど弱くなる。また、ｎIIの数が同じであれば、疎水性基の炭素数が小さくなるにつれて細胞を損傷する力が強くなる。その点を考慮し、上記の値を目安にして、必要な界面活性剤濃度は実験により簡単に求めることができる。
【００２２】
可溶化剤は、血球の細胞膜に損傷を与え、縮小化するために用いる。具体的には、以下：
式（ＩＩＩ）：
【００２３】
【化２】
2006300962.tif 000005
（式中、Ｒ1IIIはＣ10-22のアルキル基；ｎIIIは１〜５である。）
のサルコシン誘導体あるいはその塩、
式（ＩＶ）：
【００２４】
【化３】
2006300962.tif 000006
（式中、Ｒ1IVは水素原子または水酸基。）
のコール酸誘導体、および
式（Ｖ）：
【００２５】
【化４】
2006300962.tif 000007
（式中、ｎVは５〜７である。）
メチルグルカンアミドから選択される１またはそれ以上を用いることができる。
【００２６】
C10-22のアルキル基としては、デシル、ドデシル、テトラデシル、オレイル等が挙げられる。
【００２７】
具体的には、Ｎ−ラウロイルサルコシン酸ナトリウム、ラウロイルメチルβ−アラニンナトリウム、ラウロイルサルコシン、ＣＨＡＰＳ（３−［（３−コールアミドプロピル）ジメチルアンモニオ］−１−プロパンスルホネート）、ＣＨＡＰＳＯ（［（３−コールアミドプロピル）ジメチルアンモニオ］−２−ヒドロキシ−１−プロパンスルホネート）、
ＭＥＧＡ８（オクタノイル−Ｎ−メチルグルカミド）、ＭＥＧＡ９（ノナイノイル−Ｎ−メチルグルカミド）、ＭＥＧＡ１０（デカノイル−Ｎ−メチルグルカミド）等が好適に使用できる。
【００２８】
可溶化剤の濃度は、サルコシン酸誘導体あるいはその塩では、０．２〜２．０ｇ／Ｌ、コール酸誘導体では、０．１〜０．５ｇ／Ｌ、メチルグルカンアミドでは、１．０〜８．０ｇ／Ｌが好ましい。
【００２９】
その他に、可溶化剤としては、ｎ−オクチルβ−グルコシド、シュークロースモノカプレートやＮ−ホルミルメチルロイシルアラニン等が使用でき、０．０１〜５０．０ｇ／Ｌの濃度で用いるのが好ましい。
【００３０】
また、アミノ酸は、幼若白血球の細胞質および細胞膜を固定化するために用いる。例えば、タンパク質を構成するアミノ酸を使用でき、グルタミン酸、バリンや、特にメチオニン、シスチン及びシステイン等のような含硫アミノ酸が好適であり、メチオニンが最も好適である。アミノ酸は、１〜５０ｇ／ｌの範囲で使用でき、グルタミン酸の場合は８〜１２ｇ／ｌが好適であり、メチオニンの場合には、１６〜２４ｇ／ｌが好適である。
【００３１】
緩衝液は、ＨＥＰＥＳ等のＧｏｏｄ緩衝液やリン酸緩衝液等に水酸化ナトリウム等のようなｐＨ調整剤を加え、必要があれば、塩化ナトリウムのような浸透圧調整剤をさらに加え、ｐＨを５．０〜９．０、浸透圧を１５０〜６００ｍＯｓｍ／ｋｇとするのが好ましい。
【００３２】
本実施形態の溶血剤としては、（１）ポリオキシエチレン系ノニオン界面活性剤；（２）血球の細胞膜に損傷を与え縮小化するための可溶化剤；（３）アミノ酸；および（４）液のｐＨを５．０〜９．０、浸透圧を
１５０〜６００ｍＯｓｍ／ｋｇにする緩衝液、電気伝導度を６．０〜
９．０ｍＳ／ｃｍにするための緩衝液からなる、特開平６−２７３４１３号に記載の溶血剤が好ましい。
【００３３】
本実施形態の成熟白血球、DNA量異常白血球および幼若白血球との間に蛍光強度の差異を生じうる蛍光色素は、損傷を与えた細胞または幼若白血球のうちいずれか一方を染色できるものであればよい。損傷を与えた細胞を染色する色素が好ましい。このような蛍光色素は、試料中の血球を含む細胞すべてを染色することができる。
【００３４】
損傷を与えた細胞を染色する色素とは、細胞核、特にＤＮＡに対して特異性を有する色素あるいはＲＮＡに特異性を有する色素が挙げられる。この目的には、いくつかのカチオン性色素が好適である。
【００３５】
一般的にカチオン性色素は、生きた細胞の細胞膜を通過し、細胞内構成成分を染色する。しかしながら、特定のカチオン性色素（例えば、エチジウムブロマイド、プロピジウムアイオダイド等）は、生細胞を通過せず、損傷細胞のみを染色することがよく知られている。
【００３６】
蛍光色素は、具体的には、前述のエチジウムブロマイド、プロピジウムアイオダイド、さらにモレキュラープローブ社より販売されているエチジウム−アクリジンヘテロダイマー、エチジウムアジド、エチジウムホモダイマー−１、エチジウムホモダイマー−２、エチジウムモノアジド、ＴＯＴＯ−１、ＴＯ−ＰＲＯ−１、ＴＯＴＯ−３、ＴＯ−ＰＲＯ−３等が挙げられる。さらに光源としてＨｅ−Ｎｅ、赤色半導体レーザを使用する場合に好適な色素として、式（Ｉ）：
【００３７】
【化５】
2006300962.tif 000008
（式中、Ｒ1Iは水素原子または低級アルキル基；Ｒ2I及びＲ3Iは水素原子、低級アルキル基または低級アルコキシ基；Ｒ4Iは水素原子、アシル基または低級アルキル基；Ｒ5Iは水素原子または置換されてもよい低級アルキル基；Ｚは硫黄原子、酸素原子または低級アルキル基で置換された炭素原子；ｎIは１または２；ＸI-はアニオンである。）で示される色素が使用できる。
【００３８】
上記構造式のＲ1Iにおける低級アルキル基は、Ｃ1-6の直鎖または分岐のアルキル基を意味し、メチル、エチル、プロピル、ブチル、イソブチル、ｓｅｃ−ブチル、ｔｅｒｔ−ブチル、ペンチル、ヘキシル基が挙げられ、中でもメチル基、エチル基が好ましい。
【００３９】
Ｒ2I及びＲ3Iにおける低級アルキル基は上記と同様であり、低級アルコキシ基としては、Ｃ1-6のアルコキシ基を意味し、例えばメトキシ、エトキシ、プロポキシ等が挙げられ、中でもメトキシ基、エトキシ基が好ましい。
【００４０】
Ｒ4Iにおけるアシル基は、脂肪族カルボン酸から誘導されたアシル基が好ましく、例えば、アセチル、プロピオニル等が挙げられ、中でもアセチル基が好ましい。また、低級アルキル基は上記と同様である。
【００４１】
Ｒ5Iにおける低級アルキル基は上記と同様であり、置換されてもよい低級アルキル基とは、１〜３個の水酸基、ハロゲン原子（フッ素、塩素、臭素またはヨウ素）等で置換されてもよい低級アルキル基を意味し、中でも１個の水酸基で置換されたメチル基、エチル基が好ましい。
【００４２】
Ｚにおける低級アルキル基とは上記と同様であり、Ｚとしては硫黄原子が好ましい。
【００４３】
ＸI-におけるアニオンは、ハロゲンイオン（フッ素、塩素、臭素またはヨウ素イオン）、ハロゲン化ホウ素イオン（ＢＦ4-、ＢＣｌ4-、ＢＢｒ4-等）、リン化合物イオン、ハロゲン酸素酸イオン、フルオロ硫酸イオン、メチル硫酸イオン、芳香環にハロゲンあるいはハロゲンをもつアルキル基を置換基として有するテトラフェニルホウ素化合物イオン等が挙げられる。中でも臭素イオンまたはＢＦ4-が好ましい。
【００４４】
上記色素としては単独または２以上を組み合わせて用いることができる。上記色素の具体的な例としては、好ましくは以下のような色素が挙げられるが、これにより本実施形態が制限されるものではない。
【００４５】
【化６】
2006300962.tif 000009
【００４６】
【化７】
2006300962.tif 000010
【００４７】
【化８】
2006300962.tif 000011
【００４８】
血液学的試料を処理する工程の好ましい態様は、溶血剤と蛍光色素を含む溶液と血液学的試料を混合するものである。あるいは、蛍光色素をエチレングリコール等の水溶性有機溶媒に溶解しておき、使用時に溶血剤と混合してもよい。この場合、色素の保存安定性を高めることができるので好ましい。色素濃度は、使用する色素に応じて適宜決定できる。例えば、エチジウムブロマイドの場合、０．０１〜１００ｍｇ／ｌ、好ましくは、０．１〜３０ｍｇ／ｌが使用できる。
【００４９】
血液学的試料と蛍光色素を含む溶血剤の混合は、血液学的試料と、蛍光色素を含む溶血剤の比が１：１０〜１：１０００、反応温度が２０〜４０℃、反応時間が５秒〜５分間で好適に実施できる。反応温度が高いときは反応時間を短くすることが好ましい。本実施形態において、幼若白血球を含む試料のＤＮＡ量を測定するには、幼若白血球を染色するために反応時間を長くすることにより可能となる。その場合の反応時間は、例えば１０秒〜５分間程度の反応時間を用いるのが好ましい。
【００５０】
このようにして調製した測定用試料をフローサイトメータに導入し、試料中の染色された細胞のそれぞれについて、散乱光と蛍光を測定する。
図１８は、本実施形態に使用できるフローサイトメータの光学系を示す斜視図である。同図においてレーザ２１から出射されたビームはコリメートレンズ２２を介してシースフローセル２３のオリフィス部を照射する。オリフィス部を通過する血球から発せられる前方散乱光は集光レンズ２４とピンホール板２５を介してフォトダイオード２６に入射する。
【００５１】
一方、オリフィス部を通過する血球から発せられる側方散乱光と側方蛍光については、側方散乱光は集光レンズ２７とダイクロイックミラー２８とを介してフォトマルチブライアチューブ（以下、フォトマルという）２９に入射し、側方蛍光は集光レンズ２７とダイクロイックミラー２８とフィルター２９とピンホール板３０を介してフォトマル３１に入射する。
【００５２】
フォトダイオード２６から出力される前方散乱光信号と、フォトマル２９から出力される側方散乱光信号と、フォトマル３１から出力される側方蛍光信号とは、それぞれアンプ３２、３３、３４により増幅され、解析部３５に入力される。
【００５３】
本実施形態でいう散乱光は、一般に市販されるフローサイトメータで測定できる散乱光を指し、前方低角散乱光（受光角度の例として、０〜５度未満）、前方高角散乱光（受光角度の例として、５〜２０度付近）、側方散乱光等をいい、好ましくは前方低角散乱光およびさらなる散乱光には側方散乱光が選ばれる。側方散乱光は細胞の核形態などのような内部情報を反映する。
【００５４】
蛍光とは、使用する色素によって好適な受光波長が選択される。蛍光信号は、細胞化学的特性を反映するものである。
【００５５】
フローサイトメータの光源は、特に限定されず、色素の励起に好適な波長の光源が選ばれる。例えば、アルゴンレーザ、Ｈｅ−Ｎｅレーザ、赤色半導体レーザ、青色半導体レーザなどが使用される。特に半導体レーザは気体レーザに比べて非常に安価であり、装置コストを大幅に下げることができる。
【００５６】
次に、散乱光ピークの強度差と散乱光幅の差を用いて、血小板凝集および同時通過細胞と、白血球とを分類する。具体的には、例えば、Ｘ軸に前方散乱光幅、Ｙ軸に前方散乱光ピークをとってスキャッタグラムを作成する。スキャッタグラム中、例えば図１に示すように、血小板凝集および同時通過細胞、ならびに白血球およびゴーストが集団を形成して分布する。このスキャッタグラムのすべての細胞から血小板凝集および同時通過細胞を除いて、血小板凝集および同時通過細胞と、白血球およびゴーストとを分類する。この操作により、血小板凝集および同時通過細胞がＤＮＡ量異常白血球の領域に出現することが防止され、ＤＮＡ量異常白血球を正確に分類計数することが可能になる。
【００５７】
次に、分類された白血球の散乱光の強度差と蛍光の強度差を用いて、成熟白血球、ＤＮＡ量異常白血球および幼若白血球に分類計数する。具体的には、例えば、Ｘ軸に蛍光強度、Ｙ軸に前方散乱光強度をとって、上述の血小板凝集および同時通過細胞を除いた血球成分の集団のみでスキャッタグラムを作成する。スキャッタグラム中、例えば、図２に示すように、成熟白血球、ＤＮＡ量異常細胞および幼若白血球の各集団と赤血球ゴーストが集団を形成して分布する。そして適当な解析ソフトを用いて各集団の領域を設定し、その領域内に含まれる細胞を分類計数する。このようにして、成熟白血球数、幼若白血球数およびＤＮＡ量異常白血球数を得ることができる。
【００５８】
さらに、ＤＮＡ量異常白血球数と成熟白血球数または幼若白血球数とから、ＤＮＡ量異常白血球に対する成熟白血球または幼若白血球の割合を算出する。
【００５９】
さらに、成熟白血球数と幼若白血球数とから、成熟白血球に対する幼若白血球の割合を算出する。
【００６０】
さらに、フローサイトメータで異なる種類の散乱光をさらに測定し、成熟白血球についての該散乱光と蛍光の強度差を用いてスキャッタグラムを作成する。例えば、Ｘ軸に赤蛍光強度、Ｙ軸に側方散乱光強度をとって、図３に示すようなスキャッタグラムを作成する。スキャッタグラム中、少なくとも３つ、例えばリンパ球、単球および顆粒球が集団を形成して分布する。そして適当な解析ソフトを用いて各集団の領域を設定し、その領域内に含まれる細胞を分類計数する。その結果、リンパ球、単球および顆粒球に分類計数することができる。
【００６１】
さらに、フローサイトメータで異なる種類の散乱光をさらに測定し、幼若白血球についての該散乱光と蛍光の強度差を用いてスキャッタグラムを作成する。例えば、Ｘ軸に赤蛍光強度、Ｙ軸に側方散乱光強度をとって、図３に示すようなスキャッタグラムを作成する。スキャッタグラム中、少なくとも２つ、例えば骨髄系芽球および顆粒球系幼若球が集団を形成して分布する。そして適当な解析ソフトを用いて各集団の領域を設定し、その領域内に含まれる細胞を分類計数する。その結果、骨髄系芽球および顆粒球系幼若球に分類計数することができる。
【００６２】
なお、前述した成熟白血球を分類計数する工程と前述した幼若白血球を分類計数する工程は、別々の工程として行っても、同時に行ってもよい。同時に行う際には、ゴーストを除去した成分の該散乱光の強度差と蛍光の強度差を用いてスキャッタグラムを作成すると、図３に示すようなスキャッタグラムが得られ、一度に、成熟白血球および幼若白血球をさらに複数個の集団に分類計数することができるので、好ましい。
【００６３】
本発明を以下の実施例によってさらに詳しく説明するが、本発明には種々の変更、修飾が可能であり、従って、本発明の範囲は以下の実施例によって限定されるものではない。
【実施例１】
【００６４】
以下の組成の水溶液からなる試薬を調製した。
【００６５】
（本法）
ポリオキシエチレン（１６）オレイルエーテル ２４．０ｇ
Ｎ−ラウロイルサルコシン酸ナトリウム １．５ｇ
ＤＬ−メチオニン ２０．０ｇ
１Ｎ−ＮａＯＨ ０．３ｇ
ＮａＣｌ ４．０ｇ
式（ＶＩ）の色素 ３．０ｍｇ
ＨＥＰＥＳ １２．０ｇ
精製水 １０００ｍｌ
【００６６】
上述の試薬１ｍｌとリンパ球性白血病患者の血液３３μｌを混合し、１０秒後にフローサイトメータで前方低角散乱光、側方散乱光、赤蛍光を測定した（光源：赤色半導体レーザー、波長：６３３ｎｍ）。
【００６７】
（ＤＮＡ量標準測定法）
クエン酸３Ｎａ １００ｍｇ
ＴｒｉｔｏｎＸ−１００（和光純薬工業株式会社） ０．２ｇ
プロピジウムアイオダイド（シグマ） ０．２ｇ
ＲＯ水 １００ｍｌ
【００６８】
上述の試薬１ｍｌと上述の患者の血液１００μｌを混合し、３０分後にフローサイトメータで赤蛍光を測定した（光源：アルゴンイオンレーザー、波長：４８８ｎｍ）。
【００６９】
得られた結果を、Ｘ軸に前方低角散乱光幅、Ｙ軸に前方低角散乱光ピークをとったスキャッタグラム（図４）、Ｘ軸に赤蛍光強度、Ｙ軸に前方低角散乱光強度をとったスキャッタグラム（図５）およびＸ軸に側方散乱光強度、Ｙ軸に赤蛍光強度をとったスキャッタグラム（図６）に示す。
上記の血液にメイグリュンワルド染色を施した後、顕微鏡により目視を行った。白血球をリンパ球、単球、顆粒球に分類した。また、上記の血液を用いて、フローサイトメーターによるＤＮＡ量標準測定法にて、白血球のＤＮＡ量を測定した。得られた結果を、表１および図７に示す。
【００７０】
【表１】
2006300962.tif 000012
【００７１】
上記の結果、本実施形態の方法が、ＤＮＡ量異常白血球と幼若白血球を同時にかつ迅速、簡便に目視と同程度の高精度で測定することが可能であることが示された。
【実施例２】
【００７２】
以下の組成の水溶液からなる試薬を調製した。
【００７３】
（本法）
ポリオキシエチレン（１６）オレイルエーテル ２４．０ｇ
Ｎ−ラウロイルサルコシン酸ナトリウム １．５ｇ
ＤＬ−メチオニン ２０．０ｇ
１Ｎ−ＮａＯＨ ０．３ｇ
ＮａＣｌ ４．０ｇ
式（ＶＩＩ）の色素 ３．０ｍｇ
ＨＥＰＥＳ １２．０ｇ
精製水 １０００ｍｌ
【００７４】
上述の試薬１ｍｌと急性骨髄性白血病（ＡＭＬ）患者の血液３３μｌを混合し、１０秒後にフローサイトメータで前方低角散乱光、側方散乱光、赤蛍光を測定した（光源：赤色半導体レーザー、波長：６３３ｎｍ）
【００７５】
（ＤＮＡ量標準測定法）
クエン酸３Ｎａ １００ｍｇ
ＴｒｉｔｏｎＸ−１００（和光純薬工業株式会社） ０．２ｇ
プロピジウムアイオダイド（シグマ） ０．２ｇ
ＲＯ水 １００ｍｌ
【００７６】
上述の試薬１ｍｌと上述の患者の血液１００μｌを混合し、３０分後にフローサイトメータで赤蛍光を測定した（光源：アルゴンイオンレーザー、波長：４８８ｎｍ）。
【００７７】
得られた結果を、Ｘ軸に前方低角散乱光幅、Ｙ軸に前方低角散乱光ピークをとったスキャッタグラム（図８）、Ｘ軸に赤蛍光強度、Ｙ軸に前方低角散乱光強度をとったスキャッタグラム（図９）およびＸ軸に側方散乱光強度、Ｙ軸に赤蛍光強度をとったスキャッタグラム（図１０）に示した。
【００７８】
上記の血液にメイグリュンワルド染色を施した後、顕微鏡により目視を行った。白血球をリンパ球、単球、顆粒球に分類した。その結果を表２に示す。
【００７９】
【表２】
2006300962.tif 000013
【００８０】
上記の結果、本実施形態の方法が、ＤＮＡ量異常白血球と幼若白血球を同時にかつ迅速、簡便、高精度に測定することが可能であることが示された。
【実施例３】
【００８１】
実施例１と同様の組成の試薬を用いた。本法試薬１ｍｌと骨髄異形性症候群患者の骨髄液３３μｌを混合し、７秒後と１３秒後にフローサイトメータで前方低角散乱光、側方散乱光、赤蛍光を測定した（光源：赤色半導体レーザー、波長：６３３ｎｍ）。
【００８２】
（ＤＮＡ量標準測定法）
ＤＮＡ量標準測定法試薬１ｍｌと上述の患者の骨髄液１００μｌを混合し、３０分後にフローサイトメータで赤蛍光を測定した（光源：アルゴンイオンレーザー、波長：４８８ｎｍ）。得られた結果を、Ｘ軸に前方低角散乱光幅、Ｙ軸に前方低角散乱光ピークをとった反応時間７秒の場合のスキャッタグラム（図１１）、Ｘ軸に赤蛍光強度、Ｙ軸に前方低角散乱光強度をとった反応時間７秒の場合のスキャッタグラム（図１２）、Ｘ軸に側方散乱光強度、Ｙ軸に赤蛍光強度をとった反応時間７秒の場合のスキャッタグラム（図１３）、Ｘ軸に前方低角散乱光幅、Ｙ軸に前方低角散乱光ピークをとった反応時間１３秒の場合のスキャッタグラム（図１４）、Ｘ軸に赤蛍光強度、Ｙ軸に前方低角散乱光強度をとった反応時間１３秒の場合のスキャッタグラム（図１５）、Ｘ軸に側方散乱光強度、Ｙ軸に赤蛍光強度をとった反応時間１３秒の場合のスキャッタグラム（図１６）に示す。
【００８３】
上記の骨髄液にメイグリュンワルド染色を施した後、顕微鏡により目視を行った。白血球をリンパ球、単球、顆粒球に分類した。また、上記の血液を用いて、フローサイトメータによるＤＮＡ量標準測定法にて、白血球のＤＮＡ量を測定した。その結果を表３に示す。表４と図１７に反応時間１３秒の本実施形態の方法とＤＮＡ量標準測定法の結果を示す。
【００８４】
【表３】
2006300962.tif 000014
【００８５】
以上より反応時間７秒のときは成熟白血球、幼若白血球を正確に測定することができ、反応時間１３秒にすることにより、さらに幼若白血球に含まれるＤＮＡ量異常白血球を検出することができる。
【００８６】
上記に示したように、本実施形態により、ＤＮＡ量異常白血球を迅速かつ簡便に測定することが可能となった。
【図面の簡単な説明】
【００８７】
【図１】本実施形態の方法によって分類計数される各細胞の出現位置を示す概念図である。
【図２】本実施形態の方法によって分類計数される各細胞の出現位置を示す概念図である。
【図３】本実施形態の方法によって分類計数される各細胞の出現位置を示す概念図である。
【図４】Ｘ軸に前方低角散乱光幅、Ｙ軸に前方低角散乱光ピークをとった実施例１のスキャッタグラムである。
【図５】Ｘ軸に赤蛍光強度、Ｙ軸に前方低角散乱光強度をとった実施例１のスキャッタグラムである。
【図６】Ｘ軸に側方散乱光強度、Ｙ軸に赤蛍光強度をとった実施例１のスキャッタグラムである。
【図７】本法とＤＮＡ量標準測定法の結果を示す。
【図８】Ｘ軸に前方低角散乱光幅、Ｙ軸に前方低角散乱光ピークをとった実施例２のスキャッタグラムである。
【図９】Ｘ軸に赤蛍光強度、Ｙ軸に前方低角散乱光強度をとった実施例２のスキャッタグラムである。
【図１０】Ｘ軸に側方散乱光強度、Ｙ軸に赤蛍光強度をとった実施例２のスキャッタグラムである。
【図１１】Ｘ軸に前方低角散乱光幅、Ｙ軸に前方低角散乱光ピークをとった実施例３の反応時間７秒の場合のスキャッタグラムである。
【図１２】、Ｘ軸に赤蛍光強度、Ｙ軸に前方低角散乱光強度をとった実施例３の反応時間７秒の場合のスキャッタグラムである。
【図１３】、Ｘ軸に側方散乱光強度、Ｙ軸に赤蛍光強度をとった実施例３の反応時間７秒の場合のスキャッタグラムである。
【図１４】Ｘ軸に前方低角散乱光幅、Ｙ軸に前方低角散乱光ピークをとった実施例３の反応時間１３秒の場合のスキャッタグラムである。
【図１５】Ｘ軸に赤蛍光強度、Ｙ軸に前方低角散乱光強度をとった実施例３の反応時間１３秒の場合のスキャッタグラムである。
【図１６】Ｘ軸に側方散乱光強度、Ｙ軸に赤蛍光強度をとった実施例３の反応時間１３秒の場合のスキャッタグラムである。
【図１７】反応時間１３秒の本実施形態の方法とＤＮＡ量標準測定法の結果を示す図である。
【図１８】本実施形態で使用できるフローサイトメータの光学系を示す斜視図である。
【図１】
2006300962.tif 000015
【図２】
2006300962.tif 000016
【図３】
2006300962.tif 000017
【図４】
2006300962.tif 000018
【図５】
2006300962.tif 000019
【図６】
2006300962.tif 000020
【図７】
2006300962.tif 000021
【図８】
2006300962.tif 000022
【図９】
2006300962.tif 000023
【図１０】
2006300962.tif 000024
【図１１】
2006300962.tif 000025
【図１２】
2006300962.tif 000026
【図１３】
2006300962.tif 000027
【図１４】
2006300962.tif 000028
【図１５】
2006300962.tif 000029
【図１６】
2006300962.tif 000030
【図１７】
2006300962.tif 000031
【図１８】
2006300962.tif 000032